(57)【要約】【課題】タッチコントロールスクリーンおよび移動通信デバイスを提供すること。【解決手段】本発明は、タッチコントロールスクリーンおよび移動通信デバイスを提供し、タッチコントロールディスプレイの分野に関している。タッチコントロールスクリーンおよび移動通信デバイスは、液晶ディスプレイによって生成される電磁妨害雑音を効果的に遮蔽することができ、また、処理技法が単純で、かつ、コストが安価である利点を有している。タッチコントロールスクリーンは、金属フレームと、金属フレームに埋め込まれた液晶ディスプレイと、液晶ディスプレイを覆っているタッチコントロールパネルとを含み、タッチコントロールパネルは透明な導電性遮蔽層を含み、また、透明な導電性遮蔽層は金属フレームに電気接続されている。移動通信デバイスはタッチコントロールスクリーンを含む。【選択図】図1
2014049769.tif 000002
【特許請求の範囲】
【請求項１】
金属フレームと、前記金属フレームに埋め込まれた液晶ディスプレイと、前記液晶ディスプレイを覆っているタッチコントロールパネルとを備え、前記タッチコントロールパネルが透明な導電性遮蔽層を備え、前記透明な導電性遮蔽層が前記金属フレームに電気接続されることを特徴とするタッチコントロールスクリーン。
【請求項２】
前記タッチコントロールパネルが、前記タッチコントロールパネル内の、前記液晶ディスプレイに近い端部に配置された二酸化ケイ素遮蔽層をさらに備え、前記透明な導電性遮蔽層が、前記二酸化ケイ素遮蔽層上の、前記液晶ディスプレイから離れた端部に配置され、前記二酸化ケイ素遮蔽層が複数の貫通孔を有し、前記透明な導電性遮蔽層が前記貫通孔を介して前記金属フレームに電気接続される、請求項1に記載のタッチコントロールスクリーン。
【請求項３】
前記二酸化ケイ素遮蔽層が前記複数の貫通孔を有し、前記複数の貫通孔のうち、2つの隣接する貫通孔の間の距離が前記液晶ディスプレイの妨害電磁波の波長と1/20の積である、請求項2に記載のタッチコントロールスクリーン。
【請求項４】
前記複数の貫通孔が前記二酸化ケイ素遮蔽層の縁の近傍に位置している、請求項3に記載のタッチコントロールスクリーン。
【請求項５】
前記複数の貫通孔と前記二酸化ケイ素遮蔽層の縁の間の距離が、前記タッチコントロールスクリーン上で静的試験が実施される場合の試験電圧のクリーページ距離より長いか、あるいはクリーページ距離に等しい、請求項4に記載のタッチコントロールスクリーン。
【請求項６】
前記透明な導電性遮蔽層が、導電性接着剤または導電性フォームを介して前記金属フレームに接続される、請求項1から5のいずれか一項に記載のタッチコントロールスクリーン。
【請求項７】
請求項1から5に記載の前記タッチコントロールスクリーンを備える移動通信デバイス。
【発明の詳細な説明】
【技術分野】
【０００１】
本発明はタッチコントロールディスプレイの分野に関し、詳細にはタッチコントロールスクリーンおよび移動通信デバイスに関する。
【背景技術】
【０００２】
タッチコントロールスクリーンは、現時点では最も単純で、かつ、最も便利な自然人間−機械対話方法である。タッチコントロールスクリーンは、多重媒体に最新型商標を付与して様々なタイプの電子デバイスに適用されている。
【０００３】
タッチコントロールスクリーンでは、液晶ディスプレイの上にタッチコントロールパネルが配置されており、液晶ディスプレイの動作期間中、電磁妨害雑音をもたらす原因になっている。さらに、電磁妨害雑音は、タッチコントロールパネルおよびタッチコントロールスクリーンと共に取り付けられる電子デバイスの性能に影響を及ぼしている。例えばタッチコントロールスクリーンを備えた移動電話の場合、液晶ディスプレイによって生成される電磁妨害雑音は、タッチコントロールスクリーンおよび移動電話の性能に直接影響を及ぼすことがある。一方、液晶ディスプレイによって生成される電磁妨害雑音は、移動電話からタッチコントロールパネルを介して放射状に広がる。そのため、移動電話アンテナの性能に対する影響をさらに強くすることがある。
【０００４】
現在、液晶ディスプレイによって生成される電磁妨害雑音を遮蔽するために広く使用されている方法は、タッチコントロールパネルと液晶ディスプレイの間に導電性の光透過性遮蔽層を追加することである。電磁妨害雑音をある程度遮蔽する効果は有しているが、この方法は、どちらかと言えばコストが高い。
【発明の概要】
【発明が解決しようとする課題】
【０００５】
本発明が解決しなければならない技術的な問題は、液晶ディスプレイによって生成される電磁妨害雑音を効果的に遮蔽するためのタッチコントロールスクリーンおよび移動通信デバイスを提供し、処理技法を単純化し、かつ、コストを低減することである。
【課題を解決するための手段】
【０００６】
上記技術的問題を解決するために、本発明の実施形態は、以下の技術的解決法を採用している。
【０００７】
タッチコントロールスクリーンは、金属フレームと、金属フレームに埋め込まれた液晶ディスプレイと、液晶ディスプレイを覆っているタッチコントロールパネルとを含み、タッチコントロールパネルは透明な導電性遮蔽層を含み、また、透明な導電性遮蔽層は金属フレームに電気接続されている。
【０００８】
タッチコントロールスクリーンは、タッチコントロールパネル内の、液晶ディスプレイに近い端部に配置された二酸化ケイ素遮蔽層をさらに含み、透明な導電性遮蔽層は、二酸化ケイ素遮蔽層上の、液晶ディスプレイから離れた端部に配置されており、二酸化ケイ素遮蔽層は貫通孔を有しており、また、透明な導電性遮蔽層は、これらの貫通孔を介して金属フレームに電気接続されている。
【０００９】
二酸化ケイ素遮蔽層は複数の貫通孔を有しており、これらの複数の貫通孔のうち、2つの隣接する貫通孔の間の距離は、液晶ディスプレイの妨害電磁波の波長と1/20の積である。
【００１０】
これらの貫通孔は、二酸化ケイ素遮蔽層の縁の近傍に位置している。
【００１１】
これらの貫通孔と二酸化ケイ素遮蔽層の縁の間の距離は、タッチコントロールスクリーン上で静的試験が実施される場合の試験電圧のクリーページ距離より長いか、あるいはクリーページ距離に等しい。
【００１２】
透明な導電性遮蔽層は、導電性接着剤または導電性フォームを介して金属フレームに接続される。
【００１３】
移動通信デバイスはタッチコントロールスクリーンを含む。
【００１４】
本発明の実施形態によって提供されるタッチコントロールスクリーンでは、タッチコントロールパネル内の透明な導電性遮蔽層および金属フレームは電気接続されている。したがってタッチコントロールパネルおよび金属フレームは、電磁妨害雑音を吸収する一体構造を形成しており、液晶ディスプレイによって生成される電磁妨害雑音を効果的に遮蔽する。また、従来技術による電磁妨害雑音遮蔽方法と比較すると、本発明は、遮蔽構造を製造するための処理技法が単純であり、かつ、コストが安価である利点を有している。
【００１５】
本発明の実施形態または従来技術による技術的解決法をより明確に説明するために、以下、これらの実施形態または従来技術を説明するために必要な添付の図面について簡単に説明する。以下の説明においては、添付の図面は、本発明のいくつかの実施形態を示したものにすぎず、当業者は、創造的努力を必要とすることなく、これらの添付の図面から他の図面をさらに引き出すことができることは明らかである。
【図面の簡単な説明】
【００１６】
【図１】本発明の一実施形態によるタッチコントロールスクリーンの略構造線図である。
【図２】本発明の一実施形態によるタッチコントロールパネルの断面の略構造線図である。
【図３】本発明の一実施形態によるタッチコントロールパネルの底面の略構造線図である。
【発明を実施するための形態】
【００１７】
以下、本発明の実施形態における技術的解決法について、本発明の実施形態の添付の図面を参照して明確に、かつ、完全に説明する。説明されている実施形態は、本発明のすべての実施形態のうちの一部にすぎないことは明らかである。本発明の実施形態に基づいて、創造的努力を必要とすることなく当業者が手に入れることができる他のすべての実施形態は、本発明の保護範囲内であるものとする。
【００１８】
本発明の一実施形態によればタッチコントロールスクリーンが提供される。図1に示されているように、タッチコントロールスクリーンは、金属フレーム1、金属フレーム1に埋め込まれた液晶ディスプレイ2、および液晶ディスプレイ2を覆っているタッチコントロールパネル3を含み、タッチコントロールパネル3は透明な導電性遮蔽層を含み、また、タッチコントロールスクリーンは、透明な導電性遮蔽層が金属フレームに電気接続されていることを特徴としている。
【００１９】
金属フレーム1は、液晶ディスプレイ2を支持し、かつ、保護するために、液晶ディスプレイ2の外側に配置されており、また、タッチコントロールパネル3は液晶ディスプレイ2を覆っており、金属フレーム1と共に封じられた構造を形成し、したがって液晶ディスプレイ2は構造中に封止されている。したがって液晶ディスプレイ2によって生成される電磁妨害雑音は、金属フレーム1およびタッチコントロールパネル3によって形成される封じられた構造中に封止され、金属フレーム1またはタッチコントロールパネル3の中にのみ放射状に広がり、封じられた構造の外部へ直接放射状に広がることはない。
【００２０】
金属フレーム1は、タッチコントロールスクリーンが位置している電子デバイスの接地ケーブルに接続されており、また、本発明の実施形態では、タッチコントロールパネル3内の透明な導電性遮蔽層は金属フレーム1に電気接続されているため、この透明な導電性遮蔽層も同じく電子デバイスの接地ケーブルに接続されており、遮蔽されたボディを形成している。この場合、液晶ディスプレイ2の頂部表面に生成される電磁妨害雑音は、タッチコントロールパネル3内の透明な導電性遮蔽層によって吸収され、かつ、接地ケーブルへ導かれる。したがって電磁妨害雑音がタッチコントロールパネルを透過して、タッチコントロールパネルおよび電子デバイスを妨害するのが防止される。液晶ディスプレイ2の横方向の表面および底部表面に生成される電磁妨害雑音は、金属フレーム1によって吸収され、かつ、接地ケーブルへ導かれる。透明な導電性遮蔽層が金属フレーム1に電気接続されると、タッチコントロールパネル3および金属フレーム1は、電磁妨害雑音を吸収する一体構造を形成し、この構造は、その中に液晶ディスプレイ2を封じ込め、それにより液晶ディスプレイ2によって生成される電磁妨害雑音を効果的に遮蔽する。
【００２１】
本発明の実施形態によって提供されるタッチコントロールスクリーンでは、タッチコントロールパネル内の透明な導電性遮蔽層および金属フレームは電気接続されている。したがってタッチコントロールパネルおよび金属フレームは、電磁妨害雑音を吸収する一体構造を形成し、液晶ディスプレイによって生成される電磁妨害雑音を効果的に遮蔽する。また、従来技術による電磁妨害雑音遮蔽方法と比較すると、本発明は、遮蔽構造を製造するための処理技法が単純であり、かつ、コストが安価である利点を有している。
【００２２】
さらに、本発明の実施形態では、図1および図2に示されているように、タッチコントロールスクリーン3は、タッチコントロールパネル3内の、液晶ディスプレイ2に近い端部に配置された二酸化ケイ素遮蔽層6をさらに含み、透明な導電性遮蔽層5は、二酸化ケイ素遮蔽層6上の、液晶ディスプレイ2から離れた端部に配置されており、二酸化ケイ素遮蔽層6は貫通孔4を有しており、また、透明な導電性遮蔽層5は、これらの貫通孔4を介して金属フレーム1に電気接続されている。
【００２３】
タッチコントロールパネル3は、タッチコントロールパネルのタッチコントロール機能を実施する多重層状構造を採用している。タッチコントロールパネルの多重層状構造では、二酸化ケイ素遮蔽層6は底部に配置され、また、透明な導電性遮蔽層5は、二酸化ケイ素遮蔽層6の上に配置されている。本発明の実施形態では、貫通孔4は二酸化ケイ素遮蔽層6の表面に形成されており、これらの貫通孔4は、二酸化ケイ素遮蔽層6の上部表面および下部表面を貫通しており、したがって二酸化ケイ素遮蔽層6内に配置されている透明な導電性遮蔽層5の一部は、タッチコントロールパネル3の最も外側の層で二酸化ケイ素遮蔽層6から露出している。透明な導電性遮蔽層5が露出した部分は、貫通孔4を介した透明な導電性遮蔽層5と金属フレーム1の間の電気接続を達成するために金属フレーム1に接続されている。
【００２４】
任意選択で、透明な導電性遮蔽層は、導電性接着剤または導電性フォームを介して金属フレームに電気接続することができる。透明な導電性遮蔽層の露出した部分は、電気めっき方式で金属フレームに電気接続することができ、また、透明な導電性遮蔽層の露出した部分は、他の透明な導電性材料を介して金属フレームに接続することができ、導電性材料の一方の端部は、透明な導電性遮蔽層の露出した部分に接続され、また、導電性材料のもう一方の端部は、金属フレームの内側の壁の側壁に接続することができ、導電性材料は、液晶ディスプレイの場所以外の場所に配置され、したがって液晶ディスプレイの配置が影響されることはない。
【００２５】
さらに、本発明の実施形態では、図3に示されているように、二酸化ケイ素遮蔽層6は複数の貫通孔を有しており、したがって透明な導電性遮蔽層5は複数の露出部分を有している。これらの複数の貫通孔のうち、2つの隣接する貫通孔の間の距離は、液晶ディスプレイの妨害電磁波の波長と1/20の積である。液晶ディスプレイの妨害電磁波の波長がλである場合、2つの隣接する貫通孔4の間の距離は、λ/20になるように設定される。2つの隣接する貫通孔4の間の距離を妨害波長の1/20になるように設定することにより、透明な導電性遮蔽層の遮蔽効果を改善することができ、また、妨害電磁波の漏れを防止することができる。
【００２６】
さらに、本発明の実施形態では、貫通孔は、二酸化ケイ素遮蔽層の縁の近傍に配置されている。これらの貫通孔は、透明な導電性遮蔽層5の露出した部分と金属フレームを接続するために使用される導電性材料の長さを短くしてコストをより安価にするために、二酸化ケイ素遮蔽層の4つの縁に近い位置に配置されている。一方、導電性材料の位置は、導電性材料によって生じるタッチコントロールパネルの光透過に対する影響を小さくするために、タッチコントロールパネルの縁の近くに配置することができる。
【００２７】
さらに、本発明の実施形態では、貫通孔4の位置と二酸化ケイ素遮蔽層6の縁の間の距離は、タッチコントロールスクリーン上で静的試験が実施される場合の試験電圧のクリーページ距離より長いか、あるいはクリーページ距離に等しい。本発明の実施形態によって提供されるタッチコントロールスクリーン上で静的試験が実施される場合、透明な導電性遮蔽層5の露出した部分にタッチコントロールパネルの縁を介して静電気が直接作用し、そのためにタッチコントロールパネルが損傷することがあり、したがって本発明では、貫通孔4と二酸化ケイ素遮蔽層6の縁の間の距離は、静的試験が実施される場合の試験電圧のクリーページ距離より長くなるか、あるいはクリーページ距離に等しくなるように設定される。この場合、静的試験の間、透明な導電性遮蔽層5の露出した部分に二酸化ケイ素遮蔽層6の縁を介して試験電圧が直接作用することはなく、したがって静電気によって生じるタッチコントロールパネルの損傷が防止される。
【００２８】
本発明の一実施形態では、上記実施形態によって提供されるタッチコントロールスクリーンを含んだ移動通信デバイスが提供される。本発明によって提供されるタッチコントロールスクリーンが移動通信デバイス上に配置されると、液晶ディスプレイによって生成される電磁妨害雑音による移動通信デバイスのアンテナに対する妨害が効果的に防止される。
【００２９】
本発明の実施形態によって提供されるタッチコントロールスクリーンおよび移動通信デバイスでは、貫通孔は二酸化ケイ素遮蔽層の表面に配置されており、したがって透明な導電性遮蔽層の一部はタッチコントロールパネルから露出している。透明な導電性遮蔽層の露出した部分を金属フレームに接続することにより、透明な導電性遮蔽層および金属フレームが電気接続され、さらにタッチコントロールパネルおよび金属フレームが電磁妨害雑音を吸収する一体構造を形成し、それにより液晶ディスプレイによって生成される電磁妨害雑音を効果的に遮蔽する。また、従来技術による電磁妨害雑音遮蔽方法と比較すると、本発明は、遮蔽構造を製造するための処理技法が単純であり、かつ、コストが安価である利点を有している。
【００３０】
以上の説明は、本発明の単なる特定の実施形態にすぎず、本発明の保護範囲を限定することは意図されていない。当業者が容易に思い浮ぶ、本発明で開示されている技術範囲の範疇であるあらゆる変形形態または置換は、本発明の保護範囲内であるものとする。したがって本発明の保護範囲は、特許請求の範囲の保護範囲によるものとする。
【符号の説明】
【００３１】
1  金属フレーム
2  液晶ディスプレイ
3  タッチコントロールパネル
4  貫通孔
5  透明な導電性遮蔽層
6  二酸化ケイ素遮蔽層
【図１】
2014049769.tif 000003
【図２】
2014049769.tif 000004
【図３】
2014049769.tif 000005